(57)【要約】【課題】簡単に足裏の温度を心地よい温度に調節することができる足裏温度調節器具を提供する。【解決手段】足裏の温度を調節する足裏温度調節器具であって、回転軸体と、足裏を載置可能な複数の板部材とを備えており、前記各板部材は、前記回転軸体の軸線周りに配置され、該軸線周りに回転可能に構成されることを特徴とする足裏温度調節器具。【選択図】図４
2017189302.tif 000002
【特許請求の範囲】
【請求項１】
足裏の温度を調節する足裏温度調節器具であって、
回転軸体と、足裏を載置可能な複数の板部材とを備えており、
前記各板部材は、前記回転軸体の軸線周りに配置され、該軸線周りに回転可能に構成されることを特徴とする足裏温度調節器具。
【請求項２】
前記各板部材において足裏が載置される面は、金属製であることを特徴とする請求項１に記載の足裏温度調節器具。
【請求項３】
前記各板部材は、足裏が載置される面の法線方向が前記回転軸体の軸方向に対して垂直となるように配置されていることを特徴とする請求項１又は２に記載の足裏温度調節器具。
【請求項４】
前記各板部材のうち少なくとも１つは、足裏が載置される面とは反対側において温熱源を収納する収納部を備えていることを特徴とする請求項１から３のいずれかに記載の足裏温度調節器具。
【請求項５】
前記各板部材のうち少なくとも１つは、足裏が載置される面上に形成される突起体を備えていることを特徴とする請求項１から４のいずれかに記載の足裏温度調節器具。
【発明の詳細な説明】
【技術分野】
【０００１】
本発明は、足裏温度調節器具に関する。
【背景技術】
【０００２】
長時間の歩行を行っていると、足の裏に熱がこもって不快な思いをすることがあり、また、足に疲労を感じることがある。このような不快感や疲労感を解消するためには、例えば、仕事等から自宅に帰った後、足裏を冷水につけたり、水で濡らしたタオルで足裏を拭いたりして、足裏の温度を冷やすことが行われている。
【発明の概要】
【発明が解決しようとする課題】
【０００３】
しかしながら、足裏を冷水につけたり、水で濡らしたタオルで拭いたりして足裏の温度を下げることは手間がかかり、実際上は、足裏に熱がこもって不快な思いをしても、そのまま放置して、自然に足裏の温度が低下することを待っている場合が多い。また、外出先からオフィスに戻ってきたような場合、人目を気にしてしまうため、わざわざ靴下を脱いで水で濡らしたタオル等によって足裏を冷やすということを行うことができず、不快な思いをしたまま、デスクワーク等を行わなければならないのが実情である。
【０００４】
本発明は、このような問題を解決すべくなされたものであって、簡単に足裏の温度を心地よい温度に調節することができる足裏温度調節器具を提供することを目的とする。
【課題を解決するための手段】
【０００５】
本発明の上記目的は、足裏の温度を調節する足裏温度調節器具であって、回転軸体と、足裏を載置可能な複数の板部材とを備えており、前記各板部材は、前記回転軸体の軸線周りに配置され、該軸線周りに回転可能に構成されることを特徴とする足裏温度調節器具により達成される。
【０００６】
このような構成の足裏温度調節器具によれば、一の板部材上に足裏を載置して足裏を冷やすことができ、使用者に爽快感を与えることができる。また、足裏の温度によって板部材の足裏載置面が暖かくなった場合であっても、板部材を回転軸周りに回転させることによって、暖かくなっていない他の板部材上に足裏を載置することができ、常に足裏を冷やして爽快感を得ることが可能となる。また、足裏の温度を冷やすことにより、足全体や体全体の血流がよくなり、足のむくみや疲れ、だるさを解消することが可能となる。
【０００７】
また、この足裏温度調節器具において、前記各板部材において足裏が載置される面は、金属製であることが好ましい。このように各板部材において足裏が載置される面を金属製の部材から形成することにより、足裏の温度を効率よく板部材側に伝達することが可能となり、足裏の温度を効果的に冷やすことが可能となる。
【０００８】
また、前記各板部材は、足裏が載置される面の法線方向が前記回転軸体の軸方向に対して垂直となるように配置されていることが好ましい。
【０００９】
また、前記各板部材のうち少なくとも１つは、足裏が載置される面とは反対側において温熱源を収納する収納部を備えるように構成してもよい。このような構成を採用する場合、温熱源として、例えば、使い捨てカイロを収納部内に配置することにより、当該カイロの熱が、足裏が載置される面側に伝わり、冬季において冷たくなった足裏を温めることが可能となる。
【００１０】
また、前記各板部材のうち少なくとも１つは、足裏が載置される面上に形成される突起体を備えていることが好ましい。このような突起体を足裏が載置される面上に形成することにより、足裏を冷やしながら、又は、温めながら、足つぼを刺激することが可能となり、足のむくみや疲れ、だるさを効果的に解消することが可能となる。また、当該突起体によって、痒いところを掻くことも可能となる。
【発明の効果】
【００１１】
本発明によれば、簡単に足裏の温度を心地よい温度に調節することができる足裏温度調節器具を提供することができる。
【図面の簡単な説明】
【００１２】
【図１】本発明に係る足裏温度調節器具の概略構成正面図である。
【図２】本発明に係る足裏温度調節器具の概略構成側面図である。
【図３】図１のＡ−Ａ断面を示す概略構成断面図である。
【図４】図２のＢ−Ｂ断面を示す概略構成断面図である。
【図５】本発明に係る足裏温度調節器具の変形例を示す概略構成断面図である。
【図６】本発明に係る足裏温度調節器具の他の変形例を示す概略構成断面図であって、（ａ）が概略構成正面図であり、（ｂ）が概略構成側面図である。
【図７】本発明に係る足裏温度調節器具の更なる他の変形例を示す概略構成側面図である。
【図８】発明に係る足裏温度調節器具の更なる他の変形例を示す概略構成断面図である。
【図９】発明に係る足裏温度調節器具の更なる他の変形例を示す概略構成側面図である。
【図１０】発明に係る足裏温度調節器具の更なる他の変形例を示す概略構成断面図である。
【図１１】（ａ）（ｂ）共に、発明に係る足裏温度調節器具の更なる他の変形例を示す概略構成側面図である。
【発明を実施するための形態】
【００１３】
以下、本発明に係る足裏温度調節器具について、添付図面を参照して説明する。なお、各図は、構成の理解を容易ならしめるために部分的に拡大・縮小している。図１は、本発明に係る足裏温度調節器具１の概略構成正面図であり、図２は、概略構成側面図である。たま、図３は、図１のＡ−Ａ断面を示す概略構成断面図であり、図４は、図２のＢ−Ｂ断面を示す概略構成断面図である。この足裏温度調節器具１は、足裏の温度を調節する器具であって、図１〜図４に示すように、足裏を載置可能な複数の板部材２と、回転軸体３と、土台部４とを備えている。
【００１４】
足裏を載置可能な板部材２は３枚あり、各板部材２は平面視矩形状の同一形状を有しており、図３に示すように、断面視三角形となるように、つまり、両端が開口する筒状の三角柱状に組み合わされている。この三角柱状に組み合わされた構造体Ｒにおいて、外側を向く各板部材２の表面が、足裏が載置される面となる。また、各板部材２は、左右の足裏を同時に載置可能な大きさとなるように構成されている。また、各板部材２同士の接合部分は、丸みを帯びるように構成することが好ましい。各板部材２は、例えば、アルミニウムやステンレスといった金属材料から形成されている。なお、金属材料の他、プラスチック材料や木材から形成してもよい。プラスチック材料や木材から板部材２を形成する場合には、足裏が載置される面に金属製のプレート状部材を載置するように構成することが、足裏の温度を心地よい温度に調節するという観点から好ましい。また、三角柱状の上記構造体Ｒは、例えば、個別の板部材２を３枚組み合わせて構成してもよく、或いは、一枚のプレート状の部材を筒状の三角柱状に折り曲げて構成してもよい。
【００１５】
３枚の板部材２によって三角柱状に組み合わされた構造体Ｒの両端開口部には、当該開口を塞ぐ蓋部材５がそれぞれ配置されている。各蓋部材５の中心部には回転軸部３１が外方側に突出するようにして設けられている。各蓋部材５に形成される回転軸部３１によって回転軸体３は構成されており、回転軸体３の軸線Ｌは、各蓋部材５に形成される各回転軸部３１同士の中心を結ぶラインとなる。なお、上記各板部材２は、その一方面側（足裏が載置されない面側）がこの回転軸体３の軸線Ｌに対向するようにして、回転軸体３の軸線Ｌ周りにそれぞれ配置されている。より具体的には、各板部材２は、足裏が載置される面の法線方向が回転軸体３の軸方向に対して垂直となるように配置されている。なお、各蓋部材５及び各回転軸部３１は、例えば、アルミニウムやステンレスといった金属材料や、プラスチック材料、木材等種々の材料から形成することができる。
【００１６】
土台部４は、３枚の板部材２によって三角柱状に組み合わされた構造体Ｒの両端側にそれぞれ配置されており、蓋部材５に形成される各回転軸部３１は、各土台部４によって回転可能に支えられている。各回転軸部３１を回転可能に支持する構造としては、種々の構造を採用することができる、例えば、ベアリング等の軸受部を土台部４に設け、当該軸受部に各回転軸部３１を挿入設置することにより、各回転軸部３１を回転可能に支持することができる。なお、土台部４は、例えば、アルミニウムやステンレスといった金属材料や、プラスチック材料、木材等種々の材料から形成することができる。このような構成により、蓋部材５を両端に備えた三角柱状の構造体Ｒは、土台部４に対して回転可能に構成される。
【００１７】
上記構成の足裏温度調節器具１によれば、例えば、椅子等に座った使用者が、床等に載置された足裏温度調節器具１における一の板部材２上に足裏を載置して足裏を冷やすことができ、使用者に爽快感を与えることができる。また、足裏の温度によって板部材２の足裏載置面が暖かくなった場合であっても、板部材２を回転軸周りに回転させることによって、暖かくなっていない他の板部材２上に足裏を載置することができ、常に足裏を冷やして爽快感を得ることが可能となる。また、足裏の温度を冷やすことにより、足全体や体全体の血流がよくなり、足のむくみや疲れ、だるさを解消することが可能となる。このように、本発明に係る足裏温度調節器具１によれば、水で濡らしたタオル等によって足裏を冷やしたり、足裏を冷水につけたりする必要が無く、単に、火照った足裏を板部材２上に載置するという手軽さで、足裏を冷やして心地よい温度に調節することが可能となる。なお、足裏が載置されて暖かくなった板部材２は、回転に伴って足裏が載置されなくなった状態になることによって、自然放熱し、再度、温度の低い状態となる。
【００１８】
また、この足裏温度調節器具１においては、各板部材２をアルミニウムやステンレスといった金属材料から構成している。このような構成により、各板部材２において足裏が載置される面が金属製となるため、足裏の温度を効率よく板部材２側に伝達することが可能となり、足裏の温度を効果的に冷やすことが可能となる。
【００１９】
以上、本発明に係る足裏温度調節器具１について説明したが、具体的構成は、上記実施形態に限定されない。例えば、図５の概略構成断面図に示すように、各板部材２のうち少なくとも１つは、足裏が載置される面とは反対側において温熱源を収納する収納部６を備えるように構成してもよい。なお、図５は、図３の概略構成断面図に対応する断面を示している。このような構成を採用する場合、温熱源として、例えば、使い捨てカイロを収納部６内に配置することにより、当該カイロの熱が、足裏が載置される面側に伝わり、冬季において冷たくなった足裏を温めて心地良い温度に調節することが可能となる。
【００２０】
なお、本実施形態に係る足裏温度調整器具に対して、上記収納部６を設ける場合、蓋部材５のいずれか一方を、三角柱状の構造体Ｒから着脱自在となるように構成する。このような構成により、蓋部材５を取り外した後、使い捨てカイロ（温熱源）を収納部６に設置することが可能となる。
【００２１】
また、上記実施形態において、各板部材２のうち少なくとも１つが、図６に示すように、足裏が載置される面上に形成される突起体７を備えるように構成してもよい。このような突起体７を足裏が載置される面上に形成することにより、足裏を冷やしながら、又は、温めながら、足つぼを刺激することが可能となり、足のむくみや疲れ、だるさを効果的に解消することが可能となる。また、当該突起体７によって、痒いところを掻くことも可能となる。なお、図６（ａ）は、図１に対応する概略構成正面図であり、図６（ｂ）は、図２に対応する概略構成側面図である。また、突起体７の数や形成位置は、任意であり、一つの突起体７、または、複数の突起体７を、板部材２の中央部分に設けてもよく、或いは、板部材２の周縁部に設けてもよい。また、代表的な複数の足つぼの配列に即した形態で複数の突起体７を配設するように構成してもよい。
【００２２】
また、上記実施形態においては、３枚の板部材２によって、回転軸体３の軸線Ｌ周りに回転可能な構造体Ｒを構成しているが、このような構成に特に限定されず、図７の概略構成側面図に示すように、４枚の板部材２を用いて筒状の角柱状の構造体Ｒを構成し、当該構造体Ｒが回転軸体３周りに回転可能となるように構成してもよい。また、図９の略構成側面図に示すように、２枚の板部材２から、回転軸体３周りに回転可能な構造体Ｒを構成してもよい。このように２枚の板部材２から回転可能な構造体Ｒを形成する場合、蓋部材５に相当する部材８を平面視四角形状に形成し、当該部材８の互いに対向する一対の辺近傍に各板部材２をそれぞれ設置するようにすることが好ましい。なお、図８は、図３の概略構成断面図に対応する断面を示している。
【００２３】
また、上記実施形態においては、三角柱状の構造体Ｒの両端開口部を塞ぐ蓋部材５を備え、この各蓋部材５の中央部に回転軸部３１をそれぞれ備えるように構成しているが、例えば、図９の略構成側面図に示すように、三角柱状の構造体Ｒの両端開口部を塞ぐことのない支柱部材９を、構造体Ｒの両端開口部にそれぞれ配置し、当該支柱部材９に回転軸部３１を設けるように構成してもよい。なお、図９は、図２の概略構成側面図に対応する側面を示している。このような構成を採用する場合、足裏温度調整器具自体の軽量化を図ることが可能となる。また、板部材２に温熱源を収容する収納部６を形成している場合であっても、支柱部材９の隙間から温熱源を収納部６に配置することが可能となる。
【００２４】
また、上記実施形態においては、各板部材２の大きさを、左右の足裏が載置できる程度の大きさとしているが、このような構成に特に限定されず、片方の足裏を載置可能な大きさとして、板部材２を構成してもよい。
【００２５】
また、上記実施形態においては、板部材２によって三角柱状に組み合わされた構造体Ｒの両端開口部を塞ぐ各蓋部材５の中心部から外方に突出する回転軸部３１が設けられ、これら２つの回転軸部３１によって回転軸体３を構成しているが、このような構成に特に限定されない。例えば、図１０の概略構成断面図に示すように、筒状の三角柱状の構造体Ｒの内部に挿通される軸体１０によって、回転軸体３を構成してもよい、このような構成の回転軸体３を採用する場合、例えば、各蓋部材５の中心部に貫通孔を設け、当該各貫通孔に軸体１０の両端部をそれぞれ挿入して固定する。なお、軸体１０の両端部分は、各貫通孔から突出するように構成されており、この突出している軸部１０の両端部分は、土台部４に回転可能に支持される。なお、図１０は、図４に示す概略構成断面図に対応する断面を示している。
【００２６】
また、土台部４の形態は、図１〜図４等に開示されているものに限定されず、足裏温度調節器具１を安定的に床等に載置でき、また、足裏が載置される構造体Ｒを回転可能に支持できる構成であれば、各種の形態として構成することができる。例えば、図１１（ａ）に示すように、逆Ｔ字状の形態として土台部４を形成してもよく、また、図１１（ｂ）に示すように、トライアングル型として土台部４を形成してもよい。
【符号の説明】
【００２７】
１  足裏温度調節器具
２  板部材
３  回転軸体
３１  回転軸部
４  土台部
５  蓋部材
６  収納部
７  突起体
Ｒ  構造体
Ｌ  回転軸体の軸線  
【図１】
2017189302.tif 000003
【図２】
2017189302.tif 000004
【図３】
2017189302.tif 000005
【図４】
2017189302.tif 000006
【図５】
2017189302.tif 000007
【図６】
2017189302.tif 000008
【図７】
2017189302.tif 000009
【図８】
2017189302.tif 000010
【図９】
2017189302.tif 000011
【図１０】
2017189302.tif 000012
【図１１】
2017189302.tif 000013